(57)【要約】【課題】  指示体の検出精度を向上させるとともに歩留まりの低下を抑制したタッチパネルシステムや、タッチパネルシステムのテスト装置及び較正方法を提供する。【解決手段】  タッチパネル３の検出面Ｐに接触または近接する指示体の位置を検出するタッチパネルシステム１は、検出面Ｐ内の所定の位置毎に予め設定されていている検出基準を用いて、検出面Ｐに接触または近接する指示体の位置を検出する。検出基準は、検査体を検出面に接触または近接させたタッチパネル３から得られた出力信号に基づいて、設定される。【選択図】  図１
2014052696.tif 000002
【特許請求の範囲】
【請求項１】
タッチパネルの検出面に接触または近接する指示体の位置を検出するタッチパネルシステムであって、
前記検出面内の所定の位置毎に予め設定されていている検出基準を用いて、前記検出面に接触または近接する指示体の位置を検出するものであり、
前記検出基準は、検査体を前記検出面に接触または近接させた前記タッチパネルから得られた出力信号に基づいて、設定されたものであることを特徴とするタッチパネルシステム。
【請求項２】
前記検出面内の所定の位置毎に設定されている前記検出基準が、前記タッチパネルを構成する少なくとも一部の部材の前記検出面内における厚さの分布に対応していることを特徴とする請求項１に記載のタッチパネルシステム。
【請求項３】
前記検出面内で、前記タッチパネルを構成する少なくとも一部の部材の厚さが大きい位置ほど、前記指示体が検出され易い前記検出基準が設定されていることを特徴とする請求項２に記載のタッチパネルシステム。
【請求項４】
請求項１〜３のいずれか１項に記載のタッチパネルシステムの前記検出基準を設定するために用いられるテスト装置であって、
前記検出面に沿って並ぶ複数の前記検査体を備えることを特徴とするテスト装置。
【請求項５】
前記検査体が、
前記検出面側の第１電極と、前記検出面から離間した側の第２電極と、前記第１電極及び前記第２電極に挟持される誘電体層と、
を備えることを特徴とする請求項４に記載のテスト装置。
【請求項６】
前記第１電極及び前記第２電極が、導体から成り、
前記誘電体層が、人の指と同等の比誘電率の誘電体から成ることを特徴とする請求項５に記載のテスト装置。
【請求項７】
前記検査体が、
前記第２電極の接地の有無を切替自在であるスイッチを、
さらに備えることを特徴とする請求項５または６に記載のテスト装置。
【請求項８】
前記検出面上に配置された状態で、前記検査体が接触または近接する範囲が、前記検出面をｎ分割（ｎは２以上の整数）した大きさの範囲内であることを特徴とする請求項４〜７のいずれか１項に記載のテスト装置。
【請求項９】
タッチパネルの検出面に接触または近接する指示体の位置を検出するタッチパネルシステムの較正方法であって、
前記タッチパネルシステムは、前記検出面内の所定の位置毎に予め設定されていている検出基準を用いて、前記検出面に接触または近接する指示体の位置を検出するものであり、
検査体を前記検出面に接触または近接させた前記タッチパネルから出力信号を得る第１ステップと、
前記出力信号に基づいて前記検出基準を設定する第２ステップと、
を備えることを特徴とするタッチパネルシステムの較正方法。
【発明の詳細な説明】
【技術分野】
【０００１】
本発明は、タッチパネルシステムや、タッチパネルシステムを較正する際に用いられるテスト装置、タッチパネルシステムの較正方法に関する。
【背景技術】
【０００２】
近年、タッチパネルの検出面に接触または近接する指示体（例えば、ユーザの指やスタイラスなど、以下同じ）の位置を検出することでユーザの指示を受け付けるタッチパネルシステムが、携帯電話やパソコン、自動販売機などに搭載されることが多くなってきている。また、最近では、大型の表示装置やホワイトボードなどにもタッチパネルシステムが搭載されるようになってきており、タッチパネルの大型化が進んでいる。
【０００３】
このようなタッチパネルシステムでは、タッチパネルが出力する出力信号に基づいて、検出面上に接触または近接する指示体の有無や位置を検出する。具体的に例えば、投影型の静電容量方式のタッチパネルシステムでは、検出面に沿って形成される複数の電極を備えたタッチパネルが出力する、電極間の静電容量に応じた出力信号に基づいて、静電容量が小さくなっている位置を検出することにより、検出面上に接触または近接する指示体の有無や位置を検出する。
【０００４】
しかし、検出面内におけるタッチパネルの特性（例えば、厚さ）がばらつくと、指示体の有無が出力信号に与える影響の大きさが検出面内においてばらつき、検出面内において局所的に指示体の検出が困難になる部分が生じ得るため、問題となる。特に、タッチパネルを大型化するほど特性のばらつきが大きくなるため、問題が深刻化する。さらに、投影型の静電容量方式のタッチパネルシステムでは、タッチパネルシステムが搭載される表示装置を高精細なものにするほど、タッチパネルが備える電極を小型にする必要があり、指示体の有無に応じた静電容量の変化量が小さくなるため、問題が深刻化する。
【０００５】
この問題の具体例について、図１０を参照して説明する。図１０は、従来のタッチパネルシステムにおける問題の具体例について示す図である。なお、図１０（ｂ）は、図１０（ａ）よりも時間的に後の状態を示したものであり、図１０（ｃ）は、図１０（ｂ）よりも時間的に後の状態を示したものである。
【０００６】
図１０は、ユーザが、タッチパネル２００の検出面２１０上で、指示体４００の接触を維持したまま検出面上を滑らせる操作（ドラッグ）をすることによって、表示装置３００に表示されている画像３１０を指示体４００に追随させて移動させようとする場合に発生する問題を示したものである。なお、図１０に示すタッチパネル２００の検出面２１０には、指示体４００の検出が困難な領域である検出困難領域２１１が存在している。
【０００７】
図１０（ａ）及び（ｂ）に示すように、指示体４００が検出困難領域２１１を通過する前までは、タッチパネル２００の検出面２１０に対する指示体４００の接触が、タッチパネルシステムに継続的に検出される。そのため、ユーザが意図した通りに、指示体４００に追随して画像３１０が移動する。
【０００８】
しかしながら、検出困難領域２１１を通過する際に、タッチパネル２００の検出面２１０に対する指示体４００の接触が、タッチパネルシステムに検出されなくなると、その時点でユーザの上記操作が断絶することになる。そのため、図１０（ｃ）に示すように、指示体４００が検出困難領域２１１を通過した後は、ユーザの意図に反して画像３１０が指示体４００に追随しなくなる。
【０００９】
このように、タッチパネルの特性が検出面内でばらつくと、タッチパネルシステムにおいて指示体が正しく検出されず、タッチパネルシステムによる指示体の検出結果を利用する電子情報機器においてユーザの操作が正しく認識されなくなるため、問題となる。特に、上述したドラッグのような継続的な操作（他に、フリックやピンチイン、ピンチアウトなど）の場合、タッチなどの単発的な操作に比べて、検出困難領域２１１に指示体が進入する可能性が高くなるため、電子情報機器においてユーザの操作が正しく認識されない可能性が高くなる。
【００１０】
この問題を解決する方法として、タッチパネルシステムの出荷前にテストを行い、特性がばらついているタッチパネルを有するタッチパネルシステムを検出して、出荷対象から除外することが考えられる。例えば、特許文献１では、タッチパネルシステムの異常を検出するためのテスト装置が提案されている。
【００１１】
特許文献１で提案されているテスト装置は、片面に複数の電極が形成された絶縁基板を備えている。また、それぞれの電極には、オンになることで電極を個別的に接地するスイッチが設けられている。このテスト装置では、それぞれの電極を検出面に接触させた状態で、任意のスイッチをオンにすることにより、検出面に指示体が接触している状態を模擬的に作出する。これにより、タッチパネルシステムの異常の有無を検出することが可能になる。
【先行技術文献】
【特許文献】
【００１２】
【特許文献１】特開２０１０−４４７３０号公報
【発明の概要】
【発明が解決しようとする課題】
【００１３】
しかしながら、特許文献１で提案されているテスト装置などを用いてタッチパネルシステムを出荷前にテストし、特性がばらついているタッチパネルを有するタッチパネルシステムを出荷対象から除外する場合、指示体の検出精度が高いタッチパネルシステムを出荷することは可能になるが、タッチパネルシステムの歩留まりが低下するため、問題となる。
【００１４】
そこで、本発明は、指示体の検出精度を向上させるとともに歩留まりの低下を抑制したタッチパネルシステムやテスト装置、タッチパネルシステムの較正方法を提供することを目的とする。
【課題を解決するための手段】
【００１５】
上記目的を達成するため、本発明は、タッチパネルの検出面に接触または近接する指示体の位置を検出するタッチパネルシステムであって、前記検出面内の所定の位置毎に予め設定されていている検出基準を用いて、前記検出面に接触または近接する指示体の位置を検出するものであり、前記検出基準は、検査体を前記検出面に接触または近接させた前記タッチパネルから得られた出力信号に基づいて、設定されたものであることを特徴とするタッチパネルシステムを提供する。
【００１６】
上記の構成によれば、検出面内の所定の位置毎に、適切な検出基準を設定することが可能になる。そのため、指示体の検出が困難になる位置や、指示体の誤検出が頻発する位置が、検出面内に生じることを、防止することが可能になる。
【００１７】
さらに、上記特徴のタッチパネルシステムにおいて、前記検出面内の所定の位置毎に設定されている前記検出基準が、前記タッチパネルを構成する少なくとも一部の部材の前記検出面内における厚さの分布に対応していると、好ましい。
【００１８】
上記の構成によれば、例えば投影型の静電容量方式のタッチパネルシステムにおいて、指示体の検出の難易に対する影響が大きい、検出面内におけるタッチパネルの厚さの分布に対応するように、検出面内の所定の位置毎に検出基準が設定される。そのため、検出面内の所定の位置毎に、より適切な検出基準を設定することが可能となる。
【００１９】
さらに、上記特徴のタッチパネルシステムにおいて、前記検出面内で、前記タッチパネルを構成する少なくとも一部の部材の厚さが大きい位置ほど、前記指示体が検出され易い前記検出基準が設定されていると、好ましい。
【００２０】
上記の構成によれば、検出面内に、タッチパネルの厚さが大きく指示体が検出され難い位置が存在したとしても、局所的に当該位置のみ指示体が検出され易くすることが可能になる。
【００２１】
また、本発明は、上記特徴のタッチパネルシステムの前記検出基準を設定するために用いられるテスト装置であって、前記検出面に沿って並ぶ複数の前記検査体を備えることを特徴とするテスト装置を提供する。
【００２２】
上記の構成によれば、検出面に対するテスト装置の位置を変化させることなく、検出面内の異なる位置に対して検査体を接触または近接させることが可能になる。そのため、検出基準の設定をするために必要なテスト装置の移動回数を少なくして、迅速に検出基準を設定することが可能になる。
【００２３】
さらに、上記特徴のテスト装置において、前記検査体が、前記検出面側の第１電極と、前記検出面から離間した側の第２電極と、前記第１電極及び前記第２電極に挟持される誘電体層と、を備えると、好ましい。特に、前記第１電極及び前記第２電極が、導体から成り、前記誘電体層が、人の指と同等の比誘電率の誘電体から成ると、好ましい。
【００２４】
上記の構成によれば、検査体が電極のみから成る場合と比較して、検査体の電気特性を容易に所望の状態に近づけることが可能になる。特に、検査体の電気特性を、容易に人の指の電気特性に近づけることが可能になる。
【００２５】
さらに、上記特徴のテスト装置において、前記検査体が、前記第２電極の接地の有無を切替自在であるスイッチを、さらに備えると、好ましい。
【００２６】
上記の構成によれば、それぞれの検査体におけるスイッチの切替制御のみで、検出面内の異なる位置に対して、模擬的な指示体の接触または近接を実現することが可能になる。
【００２７】
さらに、上記特徴のテスト装置において、前記検出面上に配置したとき、前記検出面をｎ分割（ｎは２以上の整数）した大きさの領域内に、前記検査体が接触または近接すると、好ましい。
【００２８】
上記の構成によれば、検出面の全面に対して検査体を接触または近接させようとする場合に、テスト装置をｎ回移動させる必要があるが、検出面の大きさに制約されずにテスト装置を小さくすることができるため、テスト装置に発生するひずみ等を抑制することが可能になる。そのため、テスト装置が備えるそれぞれの検査体の特性のばらつきを抑制することが可能になり、適切な検出基準を設定することが可能になる。
【００２９】
また、本発明は、タッチパネルの検出面に接触または近接する指示体の位置を検出するタッチパネルシステムの較正方法であって、前記タッチパネルシステムは、前記検出面内の所定の位置毎に予め設定されていている検出基準を用いて、前記検出面に接触または近接する指示体の位置を検出するものであり、検査体を前記検出面に接触または近接させた前記タッチパネルから出力信号を得る第１ステップと、前記出力信号に基づいて前記検出基準を設定する第２ステップと、を備えることを特徴とするタッチパネルシステムの較正方法を提供する。
【発明の効果】
【００３０】
上記特徴のタッチパネルシステム、テスト装置及びタッチパネルシステムの較正方法によれば、検出面内の所定の位置毎に適切な検出基準を設定することが可能になるため、指示体の検出が困難になる位置や指示体の誤検出が頻発する位置が検出面内に生じることを防止したタッチパネルシステムを得るとともに、出荷対象から除外されるタッチパネルシステムを少なくすることが可能になる。したがって、指示体の検出精度を向上させるとともに歩留まりの低下を抑制したタッチパネルシステムを得ることが可能になる。
【図面の簡単な説明】
【００３１】
【図１】本発明の実施形態に係るタッチパネルシステムの全体構成例について示すブロック図。
【図２】タッチパネルの構造例について示す側面図。
【図３】ドライブライン及びセンスラインの構造例について示す平面図。
【図４】検出基準の設定方法例について示すグラフ。
【図５】テスト装置の構造例について示す模式図。
【図６】検査体の構造例について示す模式図。
【図７】テスト装置の使用例について示す模式図。
【図８】検出基準を設定するための具体的な動作例について示すフローチャート。
【図９】本発明の実施形態に係る電子情報機器の構成例を示すブロック図。
【図１０】従来のタッチパネルシステムにおける問題の具体例について示す図。
【発明を実施するための形態】
【００３２】
以下、本発明の実施形態として、ドライブラインとセンスラインとがタッチパネルの検出面に沿って設けられる、投影型の静電容量方式のタッチパネルシステムを例示して説明する。
【００３３】
＜タッチパネルシステムの全体構成例＞
最初に、本発明の実施形態に係るタッチパネルシステムの全体構成例について、図面を参照して説明する。図１は、本発明の実施形態に係るタッチパネルシステムの全体構成例について示すブロック図である。
【００３４】
図１に示すように、タッチパネルシステム１は、表示面に画像を表示する表示装置２と、表示装置２の表示面上に設けられるとともにドライブラインＤＬが駆動されることによって検出面Ｐに接触または近接する指示体の有無に応じた出力信号をセンスラインＳＬから出力するタッチパネル３と、ドライブラインＤＬを駆動するドライブライン駆動部４と、センスラインＳＬが出力する出力信号を処理することで検出面Ｐ内における指示体の位置を検出する指示体位置検出部５と、指示体位置検出部５が検出面Ｐ内における指示体の位置を検出する際に用いる検出基準を設定する検出基準設定部６と、表示装置２が表示する画像を制御するホスト端末７と、を備える。
【００３５】
表示装置２は、例えば、液晶ディスプレイや、プラズマディスプレイ、有機ＥＬディスプレイ、電界放出ディスプレイなどから成る。なお、表示装置２はこれらに限られるものではなく、どのようなものであってもよい。
【００３６】
タッチパネル３は、検出面Ｐに沿って互いに平行に設けられるとともにそれぞれに所定のドライブ信号が与えられることで駆動される複数のドライブラインＤＬと、ドライブラインＤＬと交差（立体交差）するように検出面Ｐに沿って互いに平行に設けられるとともにドライブラインＤＬが駆動されることで当該ドライブラインＤＬとの間に形成される静電容量に応じた出力信号を出力する複数のセンスラインＳＬと、を備える
【００３７】
出力信号は、検出面Ｐ内の検出領域Ｘ（ドライブラインＤＬ及びセンスラインＳＬの交差部分やその近傍部分、以下同じ）に対して指示体が接触または近接しているか（検出領域Ｘに対する接触または近接の有無や、検出領域Ｘと指示体との離間距離など）を示す信号となり、検出領域Ｘと指示体との離間距離が小さくなるほど、静電容量は小さくなる。なお、図１では、ドライブラインＤＬとセンスラインＳＬとが垂直に交差する場合について例示しているが、垂直以外の角度で交差してもよい。
【００３８】
ドライブライン駆動部４は、ドライブラインＤＬに所定の信号を印加することで駆動する。ドライブラインＤＬが駆動されると、駆動されたドライブラインＤＬと交差するセンスラインＳＬが、当該ドライブラインとの間に形成される静電容量に応じた出力信号を出力する。このとき、ドライブライン駆動部４が、同時に複数のドライブラインＤＬを駆動すると、１つのセンスラインＳＬが、複数のドライブラインＤＬとの間に形成される複数の静電容量に対応した出力信号を出力することになるが、指示体位置検出部５は、後述する復号処理部５４の復号処理によって、このような重畳的な静電容量に対応した出力信号から、それぞれの静電容量を求めることが可能である。
【００３９】
指示体位置検出部５は、センスラインＳＬが出力する出力信号を増幅する増幅部５１と、増幅部５１が増幅した出力信号を取得して時分割で出力する信号取得部５２と、信号取得部５２が出力したアナログ信号をデジタル信号に変換するＡ／Ｄ変換部５３と、Ａ／Ｄ変換部５３が変換したデジタル信号に基づいて検出面Ｐ内における静電容量の変化量の分布を求める復号処理部５４と、復号処理部５４が求めた静電容量の変化量の分布に基づいて検出面Ｐ内における指示体の位置を検出して当該位置を示す位置情報を生成する位置情報生成部５５と、を備える。
【００４０】
復号処理部５４は、ドライブライン駆動部４がドライブラインＤＬに与えたドライブ信号のパターンに基づいて、Ａ／Ｄ変換部５３から得られるデジタル信号を復号処理することによって、検出面Ｐ内における静電容量の分布（二次元的な分布）を求める。さらに、復号処理部５４は、指示体の検出を行う前に（例えば、タッチパネルシステムの起動直後に行われるキャリブレーション時に）、検出面Ｐに接触または近接する指示体が存在しない状態で得られた出力信号から求められたデジタル信号を取得することによって、検出面Ｐに接触または近接する指示体が存在しない状態の検出面Ｐ内における静電容量の分布（二次元的な分布）を、あらかじめ求めている。
【００４１】
そして、復号処理部５４は、検出面Ｐに接触または近接する指示体が存在しない状態の検出面Ｐ内における静電容量の分布と、指示体の位置の検出時に求めた検出面Ｐ内における静電容量の分布と、を比較して、検出面Ｐ内における静電容量の変化量の分布（即ち、検出面Ｐへの指示体の接触または近接に起因して変化した静電容量の成分の二次元的な分布）を求める。
【００４２】
具体的に例えば、復号処理部５４は、検出面Ｐに接触または近接する指示体が存在しない状態の検出面Ｐ内における静電容量の分布から、指示体の位置の検出時に求めた検出面Ｐ内における静電容量の分布を減算することによって、検出面Ｐ内における静電容量の変化量の分布を求める。なお、静電容量の変化量は、絶対値化されたものであってもよい。
【００４３】
位置情報生成部５５は、復号処理部５４が求めた検出面Ｐ内における静電容量の変化量の分布と、検出面Ｐ内の所定の位置毎に設定されている（例えば、センスラインＳＬ及びドライブラインＤＬの交差点毎や検出領域Ｘ毎に二次元的に設定されている）検出基準と、を比較することによって、検出面Ｐ内における指示体の位置を求め、位置情報を生成する。
【００４４】
具体的に、位置情報生成部５５は、検出面Ｐ内において、静電容量の変化量が検出基準よりも大きくなっている位置を検出して、当該位置を検出面Ｐに接触または近接している指示体の位置として求める。そして、位置情報生成部５５は、当該位置を示す位置情報を生成し、出力する。なお、位置情報生成部５５は、検出面Ｐに接触または近接する指示体が存在しない場合など、検出面Ｐに接触または近接している指示体の位置を求めることができなかった場合は、その旨を示す位置情報を生成して出力してもよい。また、検出基準の詳細については、後述する。
【００４５】
検出基準設定部６は、復号処理部５４から得られる静電容量の変化量の分布に基づいて、位置情報生成部５５で用いられる検出基準を設定する。具体的に例えば、位置情報生成部５５が、検出基準設定部６が求めた検出基準を記憶する。なお、検出基準設定部６の動作の詳細については、後に具体的な動作例を挙げて説明する。
【００４６】
ホスト端末７は、タッチパネルシステム１の全体を制御するものであり、特に表示装置２に表示される画像を制御する。なお、図１では特に図示していないが、ホスト端末７は、ドライブライン駆動部４や、指示体位置検出部５の各部などを制御し得る。
【００４７】
＜検出基準の設定方法＞
次に、検出基準の設定方法について、図面を参照して説明する。まず、タッチパネル３の構造例について、図２及び図３を参照して説明する。図２は、タッチパネルの構造例について示す側面図であり、図３は、ドライブライン及びセンスラインの構造例について示す平面図である。
【００４８】
図２（ａ）及び（ｂ）に示すように、タッチパネル３は、表示装置２の表示面上に形成される接着層３１と、接着層３１上に形成されるガラス基板３２と、ガラス基板上に形成される絶縁体フィルム（絶縁層）３３と、絶縁体フィルム３３上に形成されるドライブラインＤＬと、ドライブラインＤＬ上に形成されるガラス基板３４と、ガラス基板３４上に形成されるセンスラインＳＬと、センスラインＳＬ上に形成される接着層３５と、接着層３５上に形成されるカバーガラス（保護層）３６と、を備える。なお、タッチパネル３を構成するそれぞれの部材は、表示装置２が表示する画像が外部から視認可能となるように、透明（または、視認に影響がない程度に微小な構造を組み合わせたもの）となっている。
【００４９】
また、図３（ａ）及び（ｂ）に示すように、ドライブラインＤＬは、センスラインＳＬと交差する部分を除いて局所的に面積が大きくなるドライブラインパッド部ＤＬＰを備える。同様に、センスラインＳＬは、ドライブラインＤＬと交差する部分を除いて局所的に面積が大きくなるセンスラインパッド部ＳＬＰを備える。そして、図３（ａ）及び（ｂ）に示すように、ドライブラインＤＬ及びセンスラインＳＬが交差する部分では、ドライブラインＤＬとセンスラインＳＬとの間（特に、隣接するドライブラインパッド部ＤＬＰとセンスラインパッド部ＳＬＰとの間）に、静電容量Ｃが形成される。なお、ドライブラインＤＬがドライブラインパッド部ＤＬＰを備えず、センスラインＳＬがセンスラインパッド部ＳＬＰを備えなくてもよい。この場合でも、ドライブラインＤＬ及びセンスラインＳＬの交差する部分において、静電容量Ｃが形成される。また、図３（ａ）に示す例は、ドライブラインＤＬ及びセンスラインＳＬが、ＩＴＯ（Indium Tin Oxide）などの透明な材料から成る場合のものである。また、図３（ｂ）に示す例は、ドライブラインＤＬ及びセンスラインＳＬが、金属細線Ｆのメッシュから成る場合のものである。
【００５０】
上述のように、タッチパネル３を大型化すると、タッチパネル３の厚さが検出面Ｐ内においてばらつくことがある。具体的に例えば、カバーガラス３６の厚さが検出面Ｐ内においてばらつくことがある。なお、図２（ａ）では、カバーガラス３６の厚さが、中心側ほど小さくなるとともに外周側ほど大きくなり、全体として表面が凹状になる場合を例示している。また、図２（ｂ）では、カバーガラス３６の厚さが大きい位置と小さい位置とが混在して、全体として表面が凹凸状になる場合を例示している。
【００５１】
この場合、カバーガラス３６の厚さが小さい位置では、指示体が検出面Ｐに接触または近接したときに、センスラインＳＬ及びドライブラインＤＬと指示体との距離が小さくなるため、静電容量の変化量が大きくなる。一方、カバーガラス３６の厚さが大きい位置では、指示体が検出面Ｐに接触または近接したときに、センスラインＳＬ及びドライブラインＤＬと指示体との距離が大きくなるため、静電容量の変化量が小さくなる（図１０に示した検出困難領域２１１になり得る）。なお、カバーガラス３６に限られず、センスラインＳＬ及びドライブラインＤＬよりも表面側（検出面Ｐ側）の部材が厚くなれば、同様の問題が生じ得る。
【００５２】
また例えば、絶縁体フィルム３３の厚さも、検出面Ｐ内においてばらつくことがある。この場合、絶縁体フィルム３３の厚さが小さい位置では、センスラインＳＬ及びドライブラインＤＬと表示装置２（接地電位）との距離が小さいことから静電容量が大きくなるため、指示体が検出面Ｐに接触または近接したときにおける静電容量の変化量が大きくなる。一方、絶縁体フィルム３３の厚さが大きい位置では、センスラインＳＬ及びドライブラインＤＬと表示装置２（接地電位）との距離が大きいことから静電容量が小さくなるため、指示体が検出面Ｐに接触または近接したときにおける静電容量の変化量が小さくなる（図１０に示した検出困難領域２１１になり得る）。なお、絶縁体フィルム３３に限られず、センスラインＳＬ及びドライブラインＤＬよりも裏面側（検出面Ｐの反対側）の部材が厚くなれば、同様の問題が生じ得る。
【００５３】
また、仮にセンスラインＳＬ及びドライブラインＤＬの間のガラス基板３４の厚さがばらつく場合を想定する。この場合、ガラス基板３４の厚さが小さい位置では、センスラインＳＬ及びドライブラインＤＬの間の距離が小さいことから静電容量が大きくなるため、指示体が検出面Ｐに接触または近接したときにおける静電容量の変化量が大きくなる。一方、ガラス基板３４の厚さが大きい位置では、センスラインＳＬ及びドライブラインＤＬの間の距離が大きいことから静電容量が小さくなるため、指示体が検出面Ｐに接触または近接したときにおける静電容量の変化量が小さくなる（図１０に示した検出困難領域２１１になり得る）。なお、ガラス基板３４に限られず、センスラインＳＬ及びドライブラインＤＬの間の部材が厚くなれば、同様の問題が生じ得る。
【００５４】
このように、検出面Ｐ内におけるタッチパネル３の厚さの分布と、指示体が検出面Ｐに接触または近接したときの静電容量の変化量の検出面Ｐ内における分布と、には相関がある。特に、検出面Ｐ内において、タッチパネル３の厚さが大きい位置ほど、指示体が検出面Ｐに接触または近接したときの静電容量の変化量が小さく、位置情報生成部５５によって指示体が検出され難い位置となる。したがって、タッチパネルシステム１では、検出面Ｐ内におけるタッチパネル３の厚さの分布に対応するように、検出面Ｐ内の所定の位置毎に検出基準を設定する。
【００５５】
検出基準の設定方法例について、図４を参照して説明する。図４は、検出基準の設定方法例について示すグラフである。なお、図４（ａ）及び（ｂ）に示すそれぞれのグラフは、検出面Ｐ内の所定の方向（例えば、センスラインＳＬに沿った方向や、ドライブラインＤＬに沿った方向）における位置と、タッチパネル３の厚さ及び検出基準と、を示すものである。
【００５６】
図４（ａ）に示すグラフでは、検出面Ｐ内の所定の方向において、タッチパネル３の厚さが、中心側ほど小さくなるとともに外周側ほど大きくなっている。また、図４（ｂ）に示すグラフでは、検出面Ｐ内の所定の方向において、タッチパネル３の厚さが大きい位置と小さい位置とが混在している。なお、図４（ａ）及び（ｂ）では、図示の簡略化のため、タッチパネル３の厚さ及び検出基準が、検出面Ｐ内の所定の方向に対してのみ変化するように図示しているが、実際には検出面Ｐに対して変化している。
【００５７】
図４（ａ）及び（ｂ）に示す具体例では、上述したタッチパネル３の厚さと指示体の検出し難さとの関係を考慮して、検出面Ｐ内におけるタッチパネル３の厚さが大きい位置ほど検出基準が小さくなり、検出面Ｐ内におけるタッチパネル３の厚さが小さい位置ほど検出基準が大きくなるように、検出基準を設定している。
【００５８】
具体的に例えば、検出面Ｐ内のある位置におけるタッチパネル３の厚さが、タッチパネル３の厚さの平均値よりも５％大きい場合、当該ある位置に対して、検出基準の平均値よりも５％小さい検出基準が設定される。同様に、検出面Ｐ内のある位置におけるタッチパネル３の厚さが、タッチパネル３の厚さの平均値よりも１０％小さい場合、当該ある位置に対して、検出基準の平均値よりも１０％大きい検出基準が設定される。なお、検出基準の平均値は、検出基準を設定する前に、予め設定されていてもよい。
【００５９】
以上より、本発明の実施形態に係るタッチパネルシステム１では、検出面Ｐ内の所定の位置毎に適切な検出基準を設定することが可能であるため、指示体の検出が困難になる位置や、指示体の誤検出が頻発する位置が検出面Ｐ内に生じることを、防止することが可能になる。そのため、どのようなタッチパネル３を用いる場合であっても、指示体の検出精度を高くすることが可能になる。
【００６０】
特に、検出面Ｐ内に、タッチパネル３の厚さが大きく指示体が検出され難い位置が存在したとしても、局所的に当該位置のみ検出基準を低く設定することで、当該位置において指示体が検出され易くすることが可能になる。
【００６１】
＜検出基準の設定方法の具体例＞
上述のように検出基準を設定するためには、検出面Ｐ内におけるタッチパネル３の厚さの分布を、何らかの方法で求める必要がある。以下では、検出面Ｐ内におけるタッチパネル３の厚さの分布を求めて検出基準を設定する検出基準の設定方法の具体例について、図面を参照して説明する。
【００６２】
最初に、本具体例の検出基準の設定方法で使用するテスト装置について、図面を参照して説明する。図５は、テスト装置の構造例について示す模式図である。図６は、検査体の構造例について示す模式図である。図７は、テスト装置の使用例について示す模式図である。
【００６３】
図５に示すように、テスト装置８は、検出面Ｐに沿って並ぶ複数（図５に示す例では３×３＝９個）の検査体８１を備える。また、図６に示すように、検査体８１は、検出面Ｐ側の第１電極８１１と、検出面Ｐから離間した側の第２電極８１２と、第１電極８１１及び第２電極８１２に挟持される誘電体層８１３と、第２電極８１２の接地の有無を切替自在であるスイッチ８１４と、を備える。なお、図５では、検査体８１の図中の下面側に第１電極８１１が設けられ、図中の上面側に第２電極８１２が設けられており、これらの間に誘電体層８１３が設けられている。
【００６４】
第１電極８１１及び第２電極８１２は、金属などの導体から成り、誘電体層８１３は、人の指と同等の比誘電率（具体的に例えば、３０以上５０以下）の誘電体から成る。また、スイッチ８１４は、オンになることで第２電極８１２が接地された状態になり、オフになることで第２電極８１２が接地されない状態になる。
【００６５】
検査体８１をこのような構造にすると、検査体８１が電極のみから成る場合と比較して、検査体８１の電気特性を容易に所望の状態に近づけることが可能になる。特に、検査体８１の電気特性を、容易に人の指の電気特性に近づけることが可能になる。
【００６６】
図７に示すように、テスト装置８は、検出面Ｐ上に配置されて使用される。このとき、それぞれの検査体８１の第１電極８１１は、検出面Ｐに対して接触する。なお、図７では、テスト装置８の図中の下面側に第１電極８１１が設けられ、図中の上面側に第２電極８１２が設けられており、これらの間に誘電体層８１３が設けられている。
【００６７】
また、図７に示すように、それぞれの検査体８１の第１電極８１１が接触する範囲は、検出面Ｐをｎ分割（ｎは２以上の整数、図７に示す例ではｎ＝３×４＝１２）した大きさの範囲内となる。
【００６８】
図７に示す状態で、検査体８１のスイッチ８１４がオンになると、第２電極８１２が接地された状態になる。すると、スイッチ８１４がオンになった検査体８１は、タッチパネル３に対して、検出面Ｐに指示体（指）が接触した場合と同様の静電容量の変化を生じさせることになる。即ち、検出面Ｐに対して、模擬的な指示体（指）の接触（以下、模擬接触とする）を実現することが可能になる。
【００６９】
また、図７に示すように、テスト装置８は、検査実行部９によって制御される。検査実行部９は、主に、検出面Ｐ内におけるテスト装置８の位置の制御や、スイッチ８１４のオン及びオフの切替制御を行う。
【００７０】
また、テスト装置８及び検査実行部９は、タッチパネルシステム１の出荷前に検出基準を設定するために用いられるものであり、当然にタッチパネルシステムの一部を構成するものではない。
【００７１】
次に、上述したテスト装置８を利用した検出基準の設定方法の具体例について、図面を参照して説明する。図８は、検出基準を設定するための具体的な動作例について示すフローチャートである。なお、図８に示すフローチャートは、検査実行部９が、上述のテスト装置８を制御することで行われるものである。
【００７２】
図８に示すように、検出基準の設定動作が開始されると、最初に、検査実行部９が、テスト装置８を配置すべき位置を選択する（ステップ＃１）。例えば、検査実行部９は、図７に示したような、検出面Ｐをｎ分割して成る領域の一つを選択する。
【００７３】
次に、検査実行部９は、ステップ＃１で選択した検出面Ｐ内の位置に、テスト装置８を移動させる（ステップ＃２）。このとき、テスト装置８が備えるそれぞれの検査体８１の第１電極８１１は、検出面Ｐに接触する。
【００７４】
次に、検査実行部９は、模擬接触を実行するべき検査体８１を選択し（ステップ＃３）、選択した検査体８１が備えるスイッチ８１４をオンにすることで、模擬接触を実行する（ステップ＃４）。このとき、検査実行部９は、検出面Ｐ内におけるテスト装置８の位置と、模擬接触を実行する検査体８１の位置と、に基づいて、検出面Ｐ内における模擬接触の実行位置（座標）を算出し、ホスト端末７を介して検出基準設定部６に伝達する。
【００７５】
模擬接触が実行されている状態で、タッチパネル３から出力信号が出力され、さらに復号処理部５４から静電容量の変化量の分布が出力されると、検出基準設定部６は、模擬接触の実行位置における静電容量の変化量を取得して、記憶する（ステップ＃５）。
【００７６】
次に、検査実行部９は、模擬接触を実行していた検査体８１が備えるスイッチ８１４をオフにすることで、模擬接触を解除する（ステップ＃６）。そして、検査実行部９は、現在のテスト装置８の位置において、さらに模擬接触を実行させるべき検査体８１があるか否かを確認する（ステップ＃７）。例えば、テスト装置８が１つの位置に配置されているときに、全ての検査体８１が模擬接触を実行する場合、検査実行部９は、現在のテスト装置８の位置において、未だ模擬接触を実行していない検査体８１があるか否かを確認する。
【００７７】
検査実行部９が、現在のテスト装置８の位置において、さらに模擬接触を実行させるべき検査体８１があることを確認する場合は（ステップ＃７、ＹＥＳ）、当該検査体８１に模擬接触を実行させるべく、ステップ＃３に戻る。
【００７８】
一方、検査実行部９が、現在のテスト装置８の位置において、模擬接触を実行させるべき検査体８１がないことを確認する場合は（ステップ＃７、ＮＯ）、テスト装置８をさらに移動させて模擬接触を実行するべきか否かを確認する（ステップ＃８）。例えば、テスト装置８が、検出面Ｐに対して全面的に模擬接触を実行する場合、検査実行部９が、検出面Ｐ内において未だにテスト装置８を配置していない位置があるか否かを確認する。
【００７９】
検査実行部９が、さらにテスト装置８を移動させて模擬接触を実行するべき位置があることを確認する場合は（ステップ＃８、ＹＥＳ）、当該位置にテスト装置８を移動させて模擬接触を実行するべく、ステップ＃１に戻る。
【００８０】
一方、検査実行部９が、テスト装置８を移動させて模擬接触を実行するべき位置がないことを確認する場合は（ステップ＃８、ＮＯ）、ホスト端末７を介して検出基準設定部６にその旨を伝達する。
【００８１】
この時点で、検出基準設定部６は、検出面Ｐ内の様々な位置について、模擬接触が実行されたときの静電容量の変化量を記憶している。上述のように、検出面Ｐ内におけるタッチパネル３の厚さの分布と、指示体が検出面Ｐに接触したときの静電容量の変化量の検出面Ｐ内における分布と、には相関がある。そこで、検出基準設定部６は、指示体が検出面Ｐに接触したときの静電容量の変化量の検出面Ｐ内における分布から、検出面Ｐ内におけるタッチパネル３の厚さの分布を求める。そして、検出基準設定部６が、検出面Ｐ内におけるタッチパネル３の厚さの分布に対応した、検出面Ｐ内の所定の位置毎の検出基準を設定して（ステップ＃９）、検出基準の設定動作を終了する。
【００８２】
以上のように検出基準を設定することで、検出面Ｐ内の所定の位置毎に適切な検出基準を設定することが可能になるため、指示体の検出が困難になる位置や指示体の誤検出が頻発する位置が検出面Ｐ内に生じることを防止したタッチパネルシステム１を得るとともに、出荷対象から除外されるタッチパネルシステムを少なくすることが可能になる。したがって、指示体の検出精度を向上させるとともに歩留まりの低下を抑制したタッチパネルシステム１を得ることが可能になる。
【００８３】
また、テスト装置８を用いて検出基準を設定することで、検出面Ｐに対するテスト装置８の位置を変化させることなく、検出面Ｐ内の異なる位置に対して検査体８１を接触させることが可能になる。そのため、検出基準の設定をするために必要なテスト装置８の移動回数を少なくして、迅速に検出基準を設定することが可能になる。
【００８４】
また、検出面Ｐの全面に対して検査体８１を接触させようとする場合、テスト装置８をｎ回移動させる必要があるが、検出面Ｐの大きさに制約されずにテスト装置８を小さくすることができるため、テスト装置８に発生するひずみ等を抑制することが可能になる。そのため、テスト装置８が備えるそれぞれの検査体８１の特性のばらつきを抑制することが可能になり、適切な検出基準を設定することが可能になる。
【００８５】
なお、テスト装置８は、上述の構造以外の構造であってもよい。例えば、テスト装置８が、上述のような模擬接触を実行する検査体８１ではなく、現実的に検出面Ｐに対して接触（または近接）したり離れたりする検査体を備える構造であってもよい。ただし、この構造では、スイッチ８１４を不要とすることができるが、それぞれの検査体を個別的に動かす構造が別途必要になる。
【００８６】
また、上述の検出基準の設定方法の具体例では、検査体８１の第１電極８１１を検出面Ｐに接触させた状態で検出基準を設定する場合について説明したが、検査体８１の第１電極８１１を検出面Ｐに接触させずに近接させた状態で検出基準を設定してもよい。検査体８１の第１電極８１１を検出面Ｐに近接させてスイッチ８１４をオンにすると、タッチパネル３に対して、検出面Ｐに指示体（指）が近接した場合と同様の静電容量の変化を生じさせることが可能であるため、検査体８１の第１電極８１１を検出面Ｐに接触させる場合と同様に、検出基準を設定することが可能である。
【００８７】
また、検出基準設定部６が、指示体が検出面Ｐに接触したときの静電容量の変化量の検出面Ｐ内における分布に基づいて、直接的に、検出面Ｐ内の所定の位置毎に検出基準を設定してもよい。即ち、検出基準設定部６が、検出面Ｐ内におけるタッチパネル３の厚さの分布を求めることなく、検出面Ｐ内の所定の位置毎に検出基準を設定してもよい。この場合、検出面Ｐ内におけるタッチパネル３の厚さの分布に限られず、指示体の検出の難易に影響を与える他の要因にも対応した検出基準を、設定することが可能になる。
【００８８】
また、検出面Ｐに対して模擬接触が実行される回数が少なく、模擬接触が実行される間隔が広い場合に、検出基準設定部６が、必要に応じて補間処理等を行うことで、検出基準を設定するために必要なデータを生成してもよい。例えば、検出基準設定部６が、模擬接触が実行されたときの静電容量の変化量の検出面Ｐ内における分布、検出面Ｐ内におけるタッチパネル３の厚さの分布、及び、検出面Ｐ内の所定の位置毎に設定される検出基準のいずれか１つについて、検出面Ｐ内の所定の方向（例えば、ドライブラインＤＬに沿った方向や、センスラインＳＬに沿った方向）に対して二次元的な補間を行なってもよいし、検出面Ｐの全体に対して三次元的な補間を行なってもよい。
【００８９】
また、上述の検出基準の設定方法の具体例では、検出基準設定部６が、検出面Ｐ内における静電容量の変化量を一通り取得した後に、検出基準を求めて設定しているが、検出基準設定部６が、静電容量の変化量を取得する度に、模擬接触の実行位置における検出基準を求めて設定してもよい。
【００９０】
＜電子情報機器＞
上述のタッチパネルシステム１を備えた、本発明の実施形態に係る電子情報機器の構成例について、図９を参照して説明する。図９は、本発明の実施形態に係る電子情報機器の構成例を示すブロック図である。
【００９１】
図９に示すように、本発明の実施形態に係る電子情報機器１００は、表示装置１０１（図１の表示装置２に相当）と、表示装置１０１を制御する表示装置制御部１０２と、タッチパネル１０３（図１のタッチパネル３に相当）と、タッチパネルコントローラ１０４（図１のドライブライン駆動部４、指示体位置検出部５及び検出基準設定部６に相当）と、ユーザに押下されることでユーザの指示を受け付けるボタンスイッチ部１０５と、撮像により画像データを生成する撮像部１０６と、入力される音声データを音声として出力する音声出力部１０７と、集音により音声データを生成する集音部１０８と、音声出力部１０７に与える音声データの処理や集音部１０８から与えられる音声データの処理を行う音声処理部１０９と、電子情報機器１００の外部の機器と通信データを無線により通信する無線通信部１１０と、無線通信部１１０が無線により通信する通信データを電磁波として放射するとともに電子情報機器１００の外部の機器から放射された電磁波を受信するアンテナ１１１と、電子情報機器１００の外部の機器と通信データを有線により通信する有線通信部１１２と、各種データを記憶する記憶部１１３と、電子情報機器１００の全体の動作を制御する本体制御部１１４（ホスト端末７に相当）と、を備える。
【００９２】
なお、上述の指示体位置検出部５及び検出基準設定部６の一部または全部を、タッチパネルコントローラ１０４ではなく、本体制御部１１４の一部としてもよい。また、図９に示す電子情報機器１００は、タッチパネルシステム１の適用例の１つに過ぎない。上述のタッチパネルシステム１は、電子情報機器１００とは異なる構成の電子情報機器に対しても、適用可能である。
【００９３】
＜変形等＞
［１］  図８に示すフローチャートにおいて、検出基準を設定すると同時に、タッチパネルシステム１の良否をテストしてもよい。具体的に例えば、模擬接触を実行しているにもかかわらず模擬接触を実行している位置における静電容量の変化量がごく小さいタッチパネルシステムや、模擬接触を実行している位置における静電容量の変化量がノイズ等に埋没しているタッチパネルシステムなど、仮に検出基準を設定したとしても指示体の検出精度が十分に改善されないことが予想されるタッチパネルシステムを検出し、不良品として出荷対象から除外してもよい。
【００９４】
［２］  検出面Ｐ内の所定の位置毎に設定される検出基準は、上述のように、検出面Ｐ内におけるタッチパネル３の厚さの分布に対応したものであってもよいが、タッチパネル３を構成する少なくとも一部の部材の検出面Ｐ内における厚さの分布に対応したものであってもよい。この場合、厚さが変動し易く指示体の検出の難易に対する影響が大きい部材（例えば、上述したカバーガラス３６や絶縁体フィルム３３など）の検出面Ｐ内における厚さの分布に対応するように、検出面Ｐ内の所定の位置毎に検出基準を設定すると、好ましい。
【００９５】
［３］  検出基準設定部６が、模擬接触が実行されたときにおける静電容量の変化量の絶対的な大きさではなく、相対的な大きさに基づいて、検出面Ｐ内におけるタッチパネル３の厚さの分布を求めてもよい。具体的に例えば、検出基準設定部６が、設計通りの均一な厚さで製造されたタッチパネルにおける模擬接触の実行時の静電容量の変化量と、実際のタッチパネル３における模擬接触の実行時の静電容量の変化量と、の比を用いて、検出面Ｐ内におけるタッチパネル３の厚さの分布を求めてもよい。
【００９６】
［４］  上述のように、タッチパネルシステム１の検出基準を設定して出荷した後、ユーザがタッチパネルシステム１を使用するときに、検出基準設定部６が、指示体が検出面Ｐに接触したときにおける静電容量の変化量を随時記憶することで、動的に検出基準を設定（更新）してもよい。
【００９７】
［５］  検出基準設定部６を、タッチパネルシステム１に備えず、検査実行部９に備えてもよい。例えばこの場合、検査実行部９は、タッチパネルシステム１の復号処理部５４から静電容量の変化量の分布を取得して検出基準を求め、タッチパネルシステム１の位置情報生成部５５やホスト端末７などに検出基準を記憶させればよい。
【産業上の利用可能性】
【００９８】
本発明に係るタッチパネルシステムやテスト装置、タッチパネルシステムの較正方法は、例えば大型のタッチパネルシステム等に、好適に利用され得る。
【符号の説明】
【００９９】
１      ：  タッチパネルシステム
２      ：  表示装置
３      ：  タッチパネル
３１    ：  接着層
３２    ：  透明基板
３３    ：  絶縁体フィルム（絶縁層）
３４    ：  透明基板
３５    ：  接着層
３６    ：  カバーガラス（保護層）
４      ：  ドライブライン駆動部
５      ：  指示体位置検出部
５１    ：  増幅部
５２    ：  信号取得部
５３    ：  Ａ／Ｄ変換部
５４    ：  復号処理部
５５    ：  位置情報生成部
６      ：  検出基準設定部
７      ：  ホスト端末
８      ：  テスト装置
８１    ：  検査体
８１１  ：  第１電極
８１２  ：  第２電極
８１３  ：  誘電体
８１４  ：  スイッチ
９      ：  検査実行部
１００  ：  電子情報機器
ＤＬ    ：  ドライブライン
ＳＬ    ：  センスライン
Ｐ      ：  検出面
Ｘ      ：  検出領域
【図１】
2014052696.tif 000003
【図２】
2014052696.tif 000004
【図３】
2014052696.tif 000005
【図４】
2014052696.tif 000006
【図５】
2014052696.tif 000007
【図６】
2014052696.tif 000008
【図７】
2014052696.tif 000009
【図８】
2014052696.tif 000010
【図９】
2014052696.tif 000011
【図１０】
2014052696.tif 000012